(57)【要約】【課題】ヘッド軌道、弾道又は打点をコントロールしうるマークを備えたゴルフボールの提供。【解決手段】本発明のゴルフボール２は、同時に目視されうる複数のマーク群４を備える。このマーク群４は、一つの大円に沿って設けられた単一又は複数のマークよりなるターゲットマークｔと、このターゲットマークｔに対して傾斜したように見える傾斜マークｋとを有する。傾斜マークｋは、ターゲットマークｔに対して傾斜したように見える線状のマークとされている。このマーク群は、一つの大円に沿って設けられた単一又は複数のマークよりなるターゲットマークｔと、このターゲットマークｔの側方に設けられた側方マークｓとを有していてもよい。この側方マークｓは、点状であるのが好ましい。このマーク群は、一つの大円に沿って設けられた単一又は複数のマークよりなるターゲットマークｔと、このターゲットマークｔと同じ大円上に設けられた併設マークｈとを備えていてもよい。【選択図】図１
2008022940.tif 000002
【特許請求の範囲】
【請求項１】
同時に目視されうる複数のマーク群を備え、
このマーク群が、一つの大円に沿って設けられた単一又は複数のマークよりなるターゲットマークと、このターゲットマークに対して傾斜したように見える傾斜マークとを有するゴルフボール。
【請求項２】
上記傾斜マークが、上記ターゲットマークに対して傾斜したように見える線状のマークである請求項１に記載のゴルフボール。
【請求項３】
同時に目視されうる複数のマーク群を備え、
このマーク群が、一つの大円に沿って設けられた単一又は複数のマークよりなるターゲットマークと、このターゲットマークの側方に設けられた側方マークとを有するゴルフボール。
【請求項４】
上記側方マークが点状である請求項３に記載のゴルフボール。
【請求項５】
同時に目視されうる複数のマーク群を備え、
このマーク群は、一つの大円に沿って設けられた単一又は複数のマークよりなるターゲットマークと、このターゲットマークと同じ大円上に設けられた併設マークとを有するゴルフボール。
【発明の詳細な説明】
【技術分野】
【０００１】
本発明は、マークを備えたゴルフボールに関する。
【背景技術】
【０００２】
通常、ゴルフボールには、マークが付されている。このマークの典型例は、商品名や製造メーカー名等を示す文字である。
【０００３】
文字によるマークの他、ボールに直線状のマークを付したものが知られている。この直線状のマークは、ボールの大円に沿って付された線状のマークである。目視において、この線状のマークは、ほぼ直線に見える。
【０００４】
この直線状のマークは、ティーショットやパットの際に活用される。ティーショットの際には、プレーヤーはボールを置くことが出来る。パットの際には、プレーヤーは一旦ボールを拾い上げて、再度置く事が出来る。ティーショットやパットの際に、直線状のマークが目標方向を示すようにしてボールを置くことができる。直線状のマークが目標方向を示すようにボールを置き、且つこの直線状のマークを基準にしてアドレスすることにより、目標に対して正確にアドレスすることが可能となる。
【発明の開示】
【発明が解決しようとする課題】
【０００５】
本発明は、上記従来技術とは全く異なる新たな技術思想によりなされたマークに関する。本発明に係るマークは、上記従来技術では全く得られなかった異質な効果を奏する。上記従来技術のマークは、単に目標方向を示しうるのみである。これに対し、本発明に係るマークは、ヘッド軌道、弾道又は打点をコントロールしうるマークである。
【０００６】
本発明の目的は、ヘッド軌道、弾道又は打点をコントロールしうるマークを備えたゴルフボールの提供にある。
【課題を解決するための手段】
【０００７】
本発明に係るゴルフボールは、同時に目視されうる複数のマーク群を備える。このマーク群は、一つの大円に沿って設けられた単一又は複数のマークよりなるターゲットマークを有する。このマーク群は、このターゲットマークに対して傾斜したように見える傾斜マークを有する。
【０００８】
好ましくは、上記傾斜マークは、上記ターゲットマークに対して傾斜したように見える線状のマークである。
【０００９】
本発明に係る他のゴルフボールは、同時に目視されうる複数のマーク群を備える。このマーク群は、一つの大円に沿って設けられた単一又は複数のマークよりなるターゲットマークを有する。このマーク群は、このターゲットマークの側方に設けられた側方マークを有する。好ましくは、この側方マークは、点状である。
【００１０】
本発明に係る他のゴルフボールは、同時に目視されうる複数のマーク群を備える。このマーク群は、一つの大円に沿って設けられた単一又は複数のマークよりなるターゲットマークを有する。このマーク群は、このターゲットマークと同じ大円上に設けられた併設マークを有する。
【発明の効果】
【００１１】
ターゲットマークに合わせてアドレスしつつ、傾斜マーク、側方マーク又は併設マークを見ながらスイングすることにより、ヘッド軌道、弾道又は打点がコントロールされうる。
【発明を実施するための最良の形態】
【００１２】
以下、適宜図面が参照されつつ、好ましい実施形態に基づいて本発明が詳細に説明される。
【００１３】
図１（ａ）は、本発明の一実施形態に係るゴルフボール２の平面図である。ゴルフボール２は、マーク群４を有する。マーク群４は、ボールの表面に印刷されている。マーク群４は、ゴルフボール２上の１カ所に設けられている。図示されないが、マーク群４は、ボールのペイント層の上に印刷されている。マーク群４が、クリアペイント層により覆われていても良い。マーク群４は、目視されうる。マーク群４の印刷は、パッド印刷や熱転写等、公知の手法によりなされる。
【００１４】
図示されないが、ゴルフボール２は、多数のディンプルを有している。ディンプルの構成は、公知のゴルフボールと同様である。本願の図面において、ディンプルの記載は省略されている。
【００１５】
図１（ｂ）は、マーク群４の拡大図である。マーク群４は、複数のマークを備えている。マーク群４は、ターゲットマークｔと、傾斜マークｋと、併設マークｈとを備えている。ターゲットマークｔと、傾斜マークｋと、併設マークｈとは、同時に目視されうる。ターゲットマークｔと、傾斜マークｋと、併設マークｈとは、一カ所の視点から同時に目視されうる範囲に設けられている。アドレスした際に、ゴルファーは、ターゲットマークｔと、傾斜マークｋと、併設マークｈとを同時に目視することができる。
【００１６】
ゴルフボール２は、球形であるので、大円を有する。大円とは、球とその中心を通る平面とのまじわりの円である。本発明において、大円は、ゴルフボールの中心を通る平面と、このゴルフボールの表面とのまじわりの円である。単一のゴルフボールにおいて、大円は無数に存在する。
【００１７】
ターゲットマークｔは、一つの大円ｄに沿って設けられた単一又は複数のマークよりなる。図１の実施形態において、ターゲットマークｔは、線状である。ターゲットマークｔは、大円ｄ上にある。ターゲットマークは、点状のマークの集合でもよい。ターゲットマークｔを構成する複数の点状のマークは、一つの大円ｄに沿って略一直線上に並べられる。線状のターゲットマークｔは、略一直線状に見える。ターゲットマークｔは、略一直線状のターゲットラインをイメージさせる。ターゲットラインを目標方向に向けてボールを置き、且つこのターゲットラインを基準としてアドレスすることができる。アドレスの際、ターゲットラインを基準としてフェースの向きを合わせることができる。
【００１８】
傾斜マークｋは、このターゲットマークに対して傾斜して見えるマークである。マーク群４は、２つの傾斜マークｋを有する。傾斜マークｋは、ターゲットマークｔの左右に設けられている。傾斜マークｋは、ターゲットマークｔの一の側方又は他の側方に１つのみ設けられても良い。傾斜マークｋは、点状のマーク（点状の個別マーク）の集合でもよい。傾斜マークｋを構成する点状のマークは、ターゲットマークの大円に対して傾斜した線に沿って略一直線上に並べられる。
【００１９】
併設マークｈは、ターゲットマークｔと同じ大円ｄ上に設けられたマークである。マーク群４において、併設マークｈは、３つ設けられている。マーク群４において、併設マークｈは、大円ｄの延長線上の一方側（図１（ｂ）における右側）に設けられている。併設マークは、大円ｄの延長線上の一方側及び他方側に設けられても良い。併設マークｈは、点状である。併設マークｈの形状は、円形である。併設マークｈが点状とされることにより、後述される併設マークｈの効果が高まる。
【００２０】
図２及び図３は、本発明に係るゴルフボールの他の実施形態を示す。図３で示されたマークは、いずれもターゲットマークｔと傾斜マークｋとを有している。図２及び図３に記載された全ての実施形態において、傾斜マークｋは、ターゲットマークｔの両側に設けられている。図２及び図３に記載された全ての実施形態において、傾斜マークｋは、ターゲットマークｔに対して対称である。図２及び図３に記載された全ての実施形態において、ターゲットマークｔは、単一の大円上にある（大円の図示は省略されている。）
【００２１】
ターゲットマークｔと傾斜マークｋとは、互いに離れていてもよいし、互いの一部が重複していてもよい。ターゲットマークｔと傾斜マークｋとが離れている実施形態は、図２の（ｃ）から（ｈ）で示されている。 ターゲットマークｔと傾斜マークｋとが交差した実施形態は、図２（ａ）及び図２（ｂ）で示されている。ターゲットマークｔと傾斜マークｋとが互いの一部において重複している実施形態は、図３（ｃ）、図３（ｅ）、図３（ｆ）、図３（ｇ）及び図３（ｈ）で示されている。図３（ｂ）、図３（ｃ）、図３（ｅ）、図３（ｆ）、図３（ｇ）及び図３（ｈ）では、ターゲットマークｔと２つの傾斜マークｋとで矢印に似たマークが形成されている。この矢印に似たマークは、ターゲットマークｔを目標方向に向けやすくするのに役立つ。
【００２２】
本発明において、ターゲットマークｔ、傾斜マークｋ及び併設マークｈの形状は、限定されない。例えば図２（ａ）に示された実施形態は、幅が一定で且つ両端部が丸められた直線状のターゲットマークｔを開示する。例えば図２（ａ）に示された実施形態は、幅が一定で且つ両端部が丸められた直線状の傾斜マークｋを開示する。例えば図２（ｄ）、図２（ｅ）及び図２（ｆ）に示された実施形態は、他端から一端に向かって徐々に幅が狭くなり且つ一端が尖った形状のターゲットマークｔを開示する。図２（ｄ）、図２（ｅ）及び図２（ｆ）に示された実施形態は、他端から一端に向かって徐々に幅が狭くなり且つ一端が尖った形状の傾斜マークｋを開示する。例えば図２（ｅ）に示された実施形態は、尖った側が一方側となり、尖っていない側が他方側となるように、傾斜マークｋ及びターゲットマークｔが配向している。
【００２３】
図２（ｇ）及び図２（ｈ）で示された実施形態は、幅が一定で且つ両端部が角ばった直線状のターゲットマークｔを開示する。図２（ｇ）及び図２（ｈ）で示された実施形態は、幅が一定で且つ両端部が角ばった直線状の傾斜マークｋを開示する。図２（ｇ）で示された実施形態では、ターゲットマークｔの幅が傾斜マークｋの幅よりも広い。図２（ｈ）で示された実施形態は、傾斜マークｋの幅とターゲットマークｔの幅とが等しい。
【００２４】
傾斜マークｋが線状のマークである場合において、傾斜マークｋがターゲットマークｔに対して傾斜して見える場合として、以下の（１）から（３）の場合がある。
（１）傾斜マークｋの幅方向中央線ｋ１が、ターゲットマークｔの大円ｄに対して傾斜して見える。
（２）傾斜マークｋの内側エッジｋ２が、ターゲットマークｔの大円ｄに対して傾斜して見える。
（３）傾斜マークｋの外側エッジｋ３が、ターゲットマークｔの大円ｄに対して傾斜して見える。
【００２５】
更に、上記（１）から（３）のような傾斜マークｋを一定間隔おきに消去することにより得られる破線状のマークも、傾斜マークｋである。
【００２６】
図４（ａ）は、他の実施形態に係るゴルフボール６を示す図である。ゴルフボール６のマーク群８において、傾斜マークｋは、ターゲットマークｔの両側に配置されていない。マーク群８では、傾斜マークｋが、ターゲットマークｔの一の側方にのみ配置されている。
【００２７】
傾斜マークｋが、ターゲットマークｔの左右いずれか一方側にのみ配置された他の実施形態が、図５で示される。このように、傾斜マークｋは、ターゲットマークｔの両側に設けられても良いし、ターゲットマークｔのいずれか一方側にのみ配置されてもよい。
【００２８】
図６（ａ）は、本発明の他の実施形態に係るゴルフボール１０を示す図である。ゴルフボール１０は、マーク群１２を有する。マーク群１２は、ターゲットマークｔと、併設マークｈと、側方マークｓとを有する。マーク群１２において、ターゲットマークｔは１個であり、併設マークｈは２個であり、側方マークｓは６個である。
【００２９】
前述された図１に係るゴルフボール２では、併設マークｈは、ターゲットマークｔの一方側にのみ設けられていた。これに対し、マーク群１２において、併設マークｈは、ターゲットマークｔの一方側とターゲットマークｔの他方側とに設けられている。併設マークｈは、点状である。併設マークｈは、円形である。
【００３０】
側方マークｓは、ターゲットマークｔの側方に設けられたマークである。側方マークｓとターゲットマークｔとは、互いに離れている。側方マークｓは、点状である。側方マークｓは、円形である。側方マークｓが点状とされることにより、後述される側方マークｓの効果が高まる。
【００３１】
図６が示すように、側方マークｓは、ターゲットマークｔに対して左右対称に配置されている。
【００３２】
ターゲットマークｔは、第一の大円ｄ１に沿って設けられている。ターゲットマークｔは、この第一の大円ｄ１上にある。２つの併設マークｈは、いずれも第一の大円ｄ１上にある。一方、６つの側方マークｓは、いずれも第二の大円ｄ２上にある。６つの側方マークｓは、同一の直線上に並んでいるように見える。
【００３３】
第一の大円ｄ１を含む平面（図示しない）と、第二の大円ｄ２を含む平面（図示しない）とは、互いに垂直である。平面視において、全ての側方マークｓは、いずれもターゲットマークｔの垂直二等分線上にある。
【００３４】
なお平面視とは、ボールの中心とターゲットマークｔの重心とを結ぶ直線をＬとしたとき、直線Ｌに垂直な平面Ｈ上にマークを投影した投影像を意味する。この平面視において、上記投影は、平面Ｈに対して垂直な方向になされるものとする。
【００３５】
本発明では、アドレスの際に、全てのマークが同時に目視されうるのがよい。この観点から、上記平面視において、本発明に係るマーク群が、直径３０ｍｍ以下の円内に配置されているのが好ましい。
【００３６】
ターゲットマークｔと側方マークｓとを有する他の実施形態が、図７及び図８で示される。図７及び図８で示された全ての実施形態では、側方マークｓが、ターゲットマークｔに対して左右対称で設けられている。
【００３７】
側方マークｓの形状は特に限定されない。図７（ａ）の実施形態は、点状で且つ長方形の側方マークｓを有する。図７（ｄ）の実施形態は、点状で且つ正方形の側方マークｓを有する。図７（ｅ）の実施形態は、点状で且つＬ字状の側方マークｓと、点状で且つ矢じり状の側方マークｓとを含む。
【００３８】
図９（ａ）は、他の実施形態に係るゴルフボール１４を示す。ゴルフボール１４のマーク群１６は、ターゲットマークｔと、側方マークｓとを有する。図９（ｂ）は、マーク群１６の拡大図である。このマーク群１６において、ターゲットマークｔは１個であり、側方マークｓは２個である。マーク群１６は、併設マークｈを有さない。側方マークｓは、ターゲットマークｔに対して左右対称に設けられている。ターゲットマークｔは第一の大円ｄ１上にあり、側方マークｓは第二の大円ｄ２上にある。第一の大円ｄ１を含む平面と、第二の大円ｄ２を含む平面とは、互いに垂直である。
【００３９】
図９（ｃ）は、他の実施形態に係るゴルフボール１７を示す。ゴルフボール１７のマーク群１９は、ターゲットマークｔと、側方マークｓとを有する。このマーク群１９において、ターゲットマークｔは１個であり、側方マークｓは２個である。マーク群１９は、併設マークｈを有さない。側方マークｓは、ターゲットマークｔに対して左右対称に設けられている。ターゲットマークｔは第一の大円ｄ１上にあり、側方マークｓは第二の大円ｄ２上にある。前述した図９（ａ）の実施形態に係るマーク群１６は側方マークｓが点状である。これに対して、図９（ｃ）に係るマーク群１９は、線状である。線状の側方マークｓの長手方向長さは、ターゲットマークｔのそれよりも小さい。
【００４０】
図１０は、他の実施形態に係るゴルフボール１８を示す。ゴルフボール１８のマーク群２０は、ターゲットマークｔと、併設マークｈと、側方マークｓとを有する。ターゲットマークｔは１個であり、併設マークｈは１個であり、側方マークｓは３個である。併設マークｈは、ターゲットマークｔの一方側にのみ設けられている。側方マークｓは、ターゲットマークｔの左右いずれか一方のみに設けられている。
【００４１】
図１１は、本発明に係るマークの定義を説明するための図である。図１１で示されたマーク群２２は、図６で示されたマーク群１２と同じものである。ただし、図１１のマーク群２２は、図６のマーク群１２を９０度回転して表示している。
【００４２】
マーク群２２には、合計９個のマーク（以下、個別マークともいう）がある。説明の都合上、図１１が示すように、各個別マークをそれぞれ個別マークｍ１、個別マークｍ２、・・・、個別マークｍ９とする。
【００４３】
図６と図１１との対比により理解されるように、図６のマーク群１２においては、個別マークｍ２が、ターゲットマークｔとされた。しかし、本発明におけるターゲットマークｔの定義から明確に理解されるように、ターゲットマークｔは、点状のマークの集合でもよい。ターゲットマークｔは、例えば個別マークｍ４、個別マークｍ５、個別マークｍ７及び個別マークｍ８の集合Ｓ１でもよい。ターゲットマークｔは、上記集合体Ｓ１に、個別マークｍ４を加えた集合Ｓ２でもよい。ターゲットマークｔは、上記集合Ｓ２に、個別マークｍ９を加えた集合Ｓ３でもよい。ゴルファーは、好みのマークをターゲットマークｔとして選択することができる。ゴルファーは、このターゲットマークｔからイメージされるターゲットラインが目標方向を向くようにボールを置いてアドレスすればよい。
【００４４】
例えば、上記集合Ｓ１がターゲットマークｔとされた場合、個別マークｍ４及び個別マークｍ９が、併設マークｈとなりうる。このことは、併設マークｈの定義がら明確に理解される。また、上記集合Ｓ１がターゲットマークｔとされた場合、個別マークｍ１、個別マークｍ２及び個別マークｍ３のうちの少なくとも１つが、側方マークｓとなりうる。
【００４５】
ターゲットマークｔが点状マークの集合である場合、ターゲットマークｔを構成する点状マークは、２個以上とされる。少なくとも２個の点状マークが大円ｄに沿って並んでいることにより、ターゲットラインがイメージされうる。なお、傾斜マークｋも、点状マークの集合であってもよい。
【００４６】
図１２は、図８（ｃ）に係るマーク群２４の拡大図である。このマーク群２４を構成する１３個のマークのそれぞれを、図１２に示すように個別マークｍ１０、個別マークｍ１１、・・・、個別マークｍ２２とする。図８（ｃ）においては、個別マークｍ１８、個別マークｍ１９、個別マークｍ１３、個別マークｍ２０及び個別マークｍ２１がターゲットマークｔとされ、個別マークｍ１０、個別マークｍ１１及び個別マークｍ１２が第一の側方マークｓとされ、個別マークｍ１４、個別マークｍ１５及び個別マークｍ１６が第二の側方マークｓとされ、個別マークｍ１７が第一の併設マークｈとされ、個別マークｍ２２が第二の併設マークｈとされた。しかし例えば、ターゲットマークｔが、個別マークｍ１９、個別マークｍ１３及び個別マークｍ２０され、個別マークｍ１７、個別マークｍ１８、個別マークｍ２１及び個別マークｍ２２が併設マークｈされることも可能である。
【００４７】
マーク群２４では、第一の大円ｄ１上のマークと、第二の大円ｄ２上のマークとは、等価である。よって、第二の大円ｄ２に沿って並んだ個別マークｍ１０から個別マークｍ１６のうちの少なくとも２つがターゲットマークｔとされてもよい。第二の大円ｄ２に沿って並んだマークがターゲットマークｔとされた場合、第一の大円ｄ１に沿って並んだマークが側方マークｓとされうる。
【００４８】
図１３は、他の実施形態に係るゴルフボール３０を示す。ゴルフボール３０は、マーク群３１を有する。このマーク群３１は、複数の色を有する。マーク群３１の外縁の輪郭３２は、平面視において円形である。マーク群３１は、第一領域３４と、第二領域３６と、第三領域３８と、第四領域４０とからなる。図１３では、第一領域３４が緑色であり、第二領域３６が黄色であり、第三領域３８が青色であり、第四領域４０が赤色であるものが例示されている。各領域の色は、これらに限定されない。各領域の色は、隣接する領域の色と異なっている。輪郭３２が、輪郭線であってもよい。輪郭３２は、輪郭線ではなく、異なる色同士の境界であってもよい。２色よりなり、２つの色が交互に配置されたマークでもよい。
【００４９】
平面視において、マーク群３１は、隣接した領域と異なる色を有する領域が所定角度ごとに配置された円形のマークである。この所定角度は、マーク群３１では９０度である。この所定角度は限定されない。この所定角度として、１０度、１５度、３０度、４５度、６０度、１８０度等が例示される。一般にこの所定角度がＮ度の場合、平面視において、（３６０／Ｎ）個の領域が設けられる。詳細は後述されるが、これら（３６０／Ｎ）個の各領域の境界が、ターゲットマークｔとされうる。また、このターゲットマークｔの側方に設けられた領域が、側方マークｓとされうる。
【００５０】
第一領域３４と第二領域３６との境界は、第四の大円ｄ４上にある。第二領域３６と第三領域３８との境界は、第三の大円ｄ３上にある。第三領域３８と第四領域４０との境界は、第四の大円ｄ４上にある。第三の大円ｄ３を含む平面と、第四の大円ｄ４を含む平面とは、互いに直交している。第四領域４０と第一領域３４との境界は、第三の大円ｄ３上にある。なお、これらの各領域を仕切る境界には、境界線が存在していてもよいし、境界線が存在していなくてもよい。境界線が存在していない場合であっても、異なる色同士の境界は、境界線と同様に認識されうる。
【００５１】
第三の大円ｄ３と第四の大円ｄ４との交点がポールとされたとき、輪郭３２は、このポールに対する緯線である。領域の境界のうちの第一の境界を含む大円（例えば第三の大円ｄ３）と、第二の境界を含む大円（例えば第四の大円ｄ４）との交点がポールとされたとき、輪郭３２は、このポールに対する緯線である。
【００５２】
マーク群３１において、ターゲットマークｔが定義されうる。ターゲットマークｔは、例えば、平面視において、第一領域３４及び第三領域３８を二等分する線Ｔ１である。図１３において、この二等分線Ｔ１は第一の大円ｄ１上にある。ターゲットマークｔは、例えば、平面視において、第二領域３６及び第四領域４０を二等分する線Ｔ２である。図１３において、この二等分線Ｔ２は、第二の大円ｄ２上にある。第一の大円ｄ１を含む平面と、第二の大円ｄ２を含む平面とは、直交している。
【００５３】
例えば、隣接した領域を仕切る境界Ｋ１は、ターゲットマークｔとなりうる。この境界Ｋ１は、第四の大円ｄ４上にある。隣接した領域を仕切る境界Ｋ２は、ターゲットマークｔとなりうる。この境界Ｋ２は、第三の大円ｄ３上にある。平面視において、境界Ｋ１及び境界Ｋ２は、輪郭３２の直径を示す線である。
【００５４】
マーク群３１では、側方マークｓが定義されうる。例えば、前述した二等分線Ｔ１がターゲットマークｔとされたとき、第二領域３６及び／又は第四領域４０が、側方マークｓとされうる。好ましくは、第二領域３６の外縁部（輪郭３２）又は第四領域４０の外縁部（輪郭３２）が、側方マークｓとされうる。例えば、前述した境界Ｋ１がターゲットマークｔとされたとき、境界Ｋ２と輪郭３２との交点Ｐ１が、側方マークｓとされうる。
【００５５】
ゴルフボール３０では、異なる色を有する複数の領域を有する。この領域の境界が、直線部分を有している。この直線部分は、例えば境界Ｋ１や境界Ｋ２である。この直線部分をターゲットに向けてボールを置き、この直線部分の側方にある領域（側方領域）を見ながらスイングすることができる。この側方領域が、側方マークｓとして作用しうる。また、上記直線部分に対して傾斜して見えるように構成した傾斜領域が設けられてもよい。この傾斜領域は、傾斜マークｋとして作用しうる。また、上記直線部分と同じ大円上に併設領域が設けられてもよい。この併設領域は、併設マークｈとして作用しうる。このように、本発明は、線や点の代わりに領域（エリア）を目印とするマーク（群）でもよい。
【００５６】
側方マークｓ又は併設マークｈは、ゴルファーのヘッド軌道、弾道又は打点に影響を与えうる。
【００５７】
本発明に係るゴルフボールの典型的な使用方法について説明する。本発明に係るゴルフボールは、ティーショットやパッティングなど、ゴルファーがボールの向きを選択して置くことができる場面において有効である。
【００５８】
ティーショットの際に、ターゲットマークｔが上側となり、且つターゲットラインが目標方向を向くようにボールを置く。ゴルファーは、このターゲットラインを基準としてアドレスする。例えば、フェース面の向きがターゲットラインと一致するようにアドレスする。なお、ターゲットラインとは、前述したように、ターゲットマークによりイメージされるラインである。平面視において、ターゲットラインは、ターゲットマークｔに沿った大円ｄと一致する。
【００５９】
次に、傾斜マークｋ、側方マークｓ又は併設マークｈを見ながらショットを行う。これにより、下記の［傾斜マークｋによる効果］、［側方マークｓによる効果］又は［併設マークｈによる効果］が得られうる。
【００６０】
［傾斜マークｋによる効果］
いずれかの傾斜マークｋに沿ってヘッドが移動するようにスイングすると、ヘッド軌道がアウトサイドイン又はインサイドアウトになる。例えば、右利きのゴルファーが、図１に示す通りにマーク群４が見えるような状態でアドレスして、ゴルフボール２を打つ場合を考える。この場合、図１の左方向に目標があり、図１の左方向にボールが打ち出される。この場合、２つの傾斜マークｋのうち、第一の傾斜マークｋａに沿ってヘッドが動くようにスイングすると、アウトサイドインの軌道となりやすい。アウトサイドインの軌道は、スライスボール又はフェードボールを発生させやすい。第二の傾斜マークｋｂに沿ってヘッドが動くようにスイングすると、インサイドアウトの軌道となりやすい。インサイドアウトの軌道は、フックボール又はドローボールを発生させやすい。
【００６１】
このように、傾斜マークｋにより、ヘッド軌道がコントロールされうる。傾斜マークｋにより、所望の弾道が得られうる。過度のスライスボール又はフックボールに悩んでいるゴルファーにとっては、傾斜マークｋは、過度のスライスボール又はフックボールの矯正に役立ちうる。
【００６２】
図１においてθで示されるのは、ターゲットマークｔに沿った大円ｄと、傾斜マークｋの幅方向中央線ｋ１との角度である。ヘッド軌道をコントロールする効果を高める観点から、角度θは、１度以上が好ましく、２度以上がより好ましく、３度以上が特に好ましい。アウトサイドイン又はインサイドアウトの軌道が極端となることを抑制し、弾道のコントロール性を高める観点から、角度θは、３０度以下が好ましく、２０度以下がより好ましく、１０度以下が特に好ましい。この角度θは、上記平面視における角度とされうる。  
【００６３】
［側方マークｓによる効果］
例えば、右利きのゴルファーが、図６に示す通りにマーク群１２が見えるような状態でアドレスして、ゴルフボール１０を打つ場合を考える。この場合、図６の左方向に目標があり、図６の左方向にボールが打ち出される。この場合、ターゲットマークｔよりもゴルファーから遠い側にある側方マークｓａ（図６（ｂ）参照）を見ながらスイングすると、通常のスイング時と比較して、打点がヘッドのヒール側になりやすくなる。なぜなら、側方マークｓａを見ながらスイングすることにより、ゴルファーは、側方マークｓａがボールの中心であるとみなしてスイングしやすいからである。よって、ターゲットマークｔよりもゴルファーから近い側にある側方マークｓｂ（図６（ｂ）参照）を見ながらスイングすると、通常のスイング時と比較して、打点がヘッドのトウ側になりやすくなる。
【００６４】
このように、側方マークｓにより、打点がコントロールされうる。打点がコントロールされることにより、弾道がコントロールされうる。打点がヒール寄りとなることにより、ウッドクラブではスライスボールが発生しやすい。打点がヒール寄りとなることにより、アイアンクラブではフックボールが発生しやすい。打点がトウ寄りとなることにより、ウッドクラブではフックボールが発生しやすい。打点がトウ寄りとなることにより、アイアンクラブではスライスボールが発生しやすい。
【００６５】
側方マークｓは、打点の矯正に寄与しうる。打点が過度にヒール寄りであるゴルファーや、打点が過度にトウ寄りであるゴルファーは、側方マークｓにより、打点をセンターに近づけることができる。
【００６６】
図９においてＷで示されるのは、ターゲットマークｔと側方マークｓとの中心間距離である。打点を移動させる上記効果を高める観点から、距離Ｗは、１ｍｍ以上が好ましく、２ｍｍ以上がより好ましく、３ｍｍ以上が特に好ましい。打点が過度に移動すると、フックやスライスが大きくなったり、打点がスイートスポットから離れすぎたりする場合がある。この観点から、距離Ｗは、１０ｍｍ以下が好ましく、９ｍｍ以下がより好ましく、８ｍｍ以下が特に好ましい。なお距離Ｗは、上記平面視における距離とされうる。
【００６７】
［併設マークｈによる効果］
例えば、右利きのゴルファーが、図６に示す通りにマーク群１２が見えるような状態でアドレスして、ゴルフボール１０を打つ場合を考える。この場合、図６の左方向に目標があり、図６の左方向にボールが打ち出される。この場合、ターゲットマークｔよりも目標方向前方にある併設マークｈａ（図６（ｂ）参照）を見ながらスイングすると、通常のスイング時と比較して、ヘッド軌道がダウンブローとなりやすくなる。なぜなら、併設マークｈａを見ながらスイングすることにより、ゴルファーは、併設マークｈａがボールの中心であるとみなしてスイングしやすいからである。ターゲットマークｔよりも目標方向後方にある併設マークｈｂ（図６（ｂ）参照）を見ながらスイングすると、通常のスイング時と比較して、ヘッド軌道がアッパーブローとなりやすくなる。
【００６８】
このように、併設マークｈにより、ヘッドのブロー角度がコントロールされうる。よりダウンブローに近いヘッド軌道は、打出角を低くし、バックスピン量を多くする。よりアッパーブローに近いヘッド軌道は、打出角を高くし、バックスピン量を少なくする。併設マークｈにより、弾道がコントロールされうる。
【００６９】
併設マークｈは、ダフリ又はトップの矯正にも役立ちうる。ターゲットマークｔよりも目標方向前方にある併設マークｈａを見ながらスイングすると、通常のスイング時と比較して、ダフリが抑制されやすい。なぜなら、併設マークｈａを見ながらスイングすることにより、ゴルファーは、併設マークｈａがボールの中心であるとみなしてスイングしやすいからである。ターゲットマークｔよりも目標方向後方にある併設マークｈｂを見ながらスイングすると、通常のスイング時と比較して、トップが抑制されやすい。なお、ダフリとは、ボールの手前においてヘッドが地面を叩いてしまうミスショットである。トップとは、ヘッドがボールの上部を叩いてしまうミスショットである。
【００７０】
例えば、図１０が示すマーク群２０は、図６が示すマーク群１２と同じ機能を奏しうる。図１０が示すマーク群２０には、ターゲットマークｔの一方側には併設マークｈがあるが、ターゲットマークｔの他方側には併設マークｈが無い。しかし、マーク群２０を１８０度回転すれば、ターゲットマークｔの一方側にある併設マークｈは、ターゲットマークｔの他方側に位置することとなる。即ち、ボールの置き方により、マーク群２０の併設マークｈは、ターゲットマークｔに対して、目標方向後方にも位置しうるし、目標方向前方にも位置しうる。
【００７１】
図１０が示すマーク群２０には、ターゲットマークｔの奥側には側方マークｓがあるが、ターゲットマークｔの手前側には側方マークｓが無い。しかし、マーク群２０を１８０度回転すれば、ターゲットマークｔの奥側にある側方マークｓは、ターゲットマークｔの手前側に位置することとなる。即ち、ボールの置き方により、マーク群２０の側方マークｓは、ターゲットマークｔに対して手前側にも位置しうるし、ターゲットマークｔに対して奥側にも位置しうる。また、ボールを９０度回転させて置くことにより、側方マークｓが併設マークｈとなりうるし、併設マークｈが側方マークｓとなりうる。このように、本発明に係るゴルフボールは、その置かれ方によって様々な作用効果を奏しうる。
【実施例】
【００７２】
以下、実施例によって本発明の効果が明らかにされるが、この実施例の記載に基づいて本発明が限定的に解釈されるべきではない。なお、以下で記載された距離等の寸法及び角度は、上記平面視において測定されたものである。
【００７３】
［実施例１］
市販のゴルフボールに、図１（ａ）で示されたマーク群４を印刷することにより、実施例１のゴルフボールを得た。マーク群の色は黒とされた。なお、ターゲットマークｔの長さＬ１は１８ｍｍとされ、傾斜マークｋの長さＬ２は１７ｍｍとされ、ターゲットマークｔの前端から、ターゲットマークｔから最も離れている併設マークｈの後端までの距離Ｌ３は２６ｍｍとされ、角度θは７．５度とされた（図１（ｂ）参照）。併設マークｈの直径は１．７ｍｍとされ、ターゲットマークｔの太さは２．０ｍｍとされた。
【００７４】
［実施例２］
マーク群４が、図６（ａ）で示されたマーク群１２に変更された以外は実施例１と同様にして、実施例２のゴルフボールを得た。マーク群の色は黒とされた。なお、ターゲットマークｔの長さＬ４は１７ｍｍとされ、併設マークｈａの前端から併設マークｈｂの後端までの距離Ｌ５は２３．２ｍｍとされ、側方マークｓａの末端から側方マークｓｂの末端までの距離Ｌ６は２１．８ｍｍとされ、併設マークｈの直径は２．７ｍｍとされ、側方マークｓａ及び側方マークｓｂの直径は２．７ｍｍとされ、他の側方マークｓの直径は１．３５ｍｍとされ、ターゲットマークｔの太さは２．０ｍｍとされた（図６（ｂ）参照）。
【００７５】
［評価］
評価は、２名のテスターａ氏及びｂ氏によりなされた。ａ氏及びｂ氏の特徴は以下の通りである。ａ氏及びｂ氏は、共に右利きである。
【００７６】
［ａ氏］
・持ち球  ；フェード
・ヘッドスピード（ドライバー使用時）：３７ｍ／ｓ
［ｂ氏］
・持ち球  ；ドロー
・ヘッドスピード（ドライバー使用時）：４３ｍ／ｓ
【００７７】
［評価方法：実施例１］
実施例１のゴルフボールは、以下のように評価された。先ず、ターゲットマークｔが上側となり、且つターゲットラインが目標方向を向くようにボールが置かれた。次いで、各テスターは、このターゲットラインを基準としてアドレスした。各テスターは、フェース面の向きがターゲットラインと一致するようにアドレスした。各テスターは、図１に示す通りにマーク群４が見えるような状態でアドレスした。このようにアドレスしたゴルファーが、図１（ａ）で示されるゴルフボール２を打った。図１の左方向に目標があり、図１の左方向にボールが打ち出された。各テスターは、マーク群４のうちのいずれかのマークを見ながらスイングした。この評価結果が、下記の表１で示される。テストは、ドライバー（Ｗ＃１）を用いてなされた。ドライバーを用いた評価結果が、下記の表１で示される。
【００７８】
［評価方法：実施例２］
実施例２のゴルフボールは、以下のように評価された。先ず、ターゲットマークｔが上側となり、且つターゲットラインが目標方向を向くようにボールが置かれた。次いで、各テスターは、このターゲットラインを基準としてアドレスした。各テスターは、フェース面の向きがターゲットラインと一致するようにアドレスした。各テスターは、図６に示す通りにマーク群１２が見えるような状態でアドレスした。このようにアドレスした各テスターが、図６（ａ）で示されるゴルフボール１０を打った。図６の左方向に目標があり、図６の左方向にボールが打ち出された。各テスターは、マーク群１２のうちのいずれかのマークを見ながらスイングした。この評価結果が、下記の表２で示される。テストは、ドライバー（Ｗ＃１）を用いてなされた。ドライバーを用いた評価結果が、下記の表２で示される。
【００７９】
［評価で用いられたドライバー］
ａ氏は、ドライバーとして、ＡＬＬ  ＮＥＷゼクシオ（ロフト１１度、シャフト品番：ＭＰ４００、シャフトフレックスＲ）を用いた。ｂ氏は、ドライバーとして、ＡＬＬ  ＮＥＷゼクシオ（ロフト９度、シャフト品番：ＭＰ４００、シャフトフレックスＳ）を用いた。
【００８０】
［スウィング軌道］
［スウィング軌道］とは、インパクト直前におけるヘッド軌道の、目標方向に対する左右方向角度を示す。［スウィング軌道］は、アウトサイドイン又はインサイドアウトの度合いを示す。アドレス時にボールが置かれたＰ地点の真上にカメラをセットした。クラブヘッドがインパクト位置の３ｃｍ手前及び９ｃｍ手前を通過する際にフラッシュを発光させて上記カメラで上方から撮影した。この撮影により、フラッシュの光った瞬間における２つのヘッド画像を有する画像データを得た。この画像データに基づいて、２つのヘッド画像を結んだ線と、目標方向との成す角度α（度）を分析した。この角度α（度）が、［スウィング軌道］として下記の表で示される。角度αは、水平方向における角度である。角度αは、インサイドアウト軌道の場合に正（＋）の値とされ、アウトサイドイン軌道の場合に負（−）の値とされた。
【００８１】
［振れ角］
［振れ角］とは、打ち出された瞬間におけるボール速度（ベクトル）の、目標方向に対する左右方向角度を示す。Ｐ地点にボールが置かれ、このＰ地点から水平距離で３００ｍｍ離れたＡ地点にレーザーセンサーが設置された。このレーザーセンサーは、鉛直方向に延びる複数本のレーザー光線を有する。このレーザーセンサーは、ボールの通過位置を感知しうる。これらのレーザー光線は、左右方向に複数本並んでいる。このレーザー光線は、打ち出されたボールが通過する際に遮断される。遮断されたレーザー光線の位置に基づき、上記Ａ地点におけるボールの通過位置Ａ１が測定された。通過位置Ａ１は、左右方向における位置である。通過位置Ａ１とＰ地点とを結んだ直線と、ターゲットラインとの成す角度β（度）が、［振れ角］として下記表で示される。角度βは、水平方向における角度である。角度βは、ターゲットラインよりも右向きである場合が正（＋）とされ、ターゲットラインよりも左向きである場合が負（−）とされた。
【００８２】
［打出角］
［打出角］とは、打ち出された瞬間におけるボール速度（ベクトル）の、上下方向における向きを示す。アドレス時にボールが置かれたＰ地点に対し、このＰ地点から水平距離で５００ｍｍ離れたＢ地点にレーザーセンサーを設置した。このレーザーセンサーは、水平方向に延びる複数本のレーザー光線を有する。これらのレーザー光線は、上下方向に複数本並んでいる。このレーザーセンサーは、ボールの通過位置を感知しうる。このレーザー光線は、打ち出されたボールが通過する際に遮断される。遮断されたレーザー光線の位置に基づき、上記Ｂ地点におけるボールの通過位置Ｂ１が測定された。通過位置Ｂ１は、上下方向における位置である。通過位置Ｂ１とＰ地点とを結んだ直線と、水平線との成す角度γ（度）が、［打出角］として下記表で示される。角度γは、鉛直方向における角度である。
【００８３】
［サイドスピン］
インパクトの３０００μ秒後のボール画像Ｇ１と、インパクトの８０００μ秒後のボール画像Ｇ２とを撮影した。２つの画像Ｇ１と画像Ｇ２との間で、予めボールに描かれたスピン測定用のマークの動きを分析することにより、インパクト直後のボールのサイドスピン量（ｒｐｍ）を得た。このサイドスピン量が、［サイドスピン］として下記表で示される。［サイドスピン］は、スライス回転が正（＋）の値とされ、フック回転が負（−）の値とされている。
【００８４】
【表１】
2008022940.tif 000003
【００８５】
【表２】
2008022940.tif 000004
【００８６】
上記表の結果からわかるように、実施例１では、ターゲットマークｔを見ながら打たれた球に比べて、第一の傾斜マークｋａを見ながら打たれた球は、よりアウトサイドインの軌道に近くなる傾向である。また、実施例１では、ターゲットマークｔを見ながら打たれた球に比べて、第二の傾斜マークｋｂを見ながら打たれた球は、よりインサイドアウトの軌道に近くなる傾向である。
【００８７】
上記表の結果からわかるように、実施例２では、ターゲットマークｔを見ながら打たれた球に比べて、側方マークｓａを見ながら打たれた球は、よりヒール側で打球された傾向となっている。よりヒール側で打球されると、ドライバーではスライスボールとなりやすく、上記［サイドスピン］が増加しやすい。これは、ドライバーではいわゆるギア効果が強く作用するためである。なお、よりヒール側で打球されると、アイアンではフックボールとなりやすく、上記［サイドスピン］が減少しやすい。これは、アイアンでは、ギア効果よりも、打球の衝撃力に起因したヘッド回転によりフェースが閉じた効果のほうが優先しやすいからである。
【００８８】
上記表の結果からわかるように、実施例２では、ターゲットマークｔを見ながら打たれた球に比べて、側方マークｓｂを見ながら打たれた球は、よりトウ側で打球された傾向となっている。よりトウ側で打球されると、ドライバーではフックボールとなりやすく、上記［サイドスピン］が減少しやすい。これは、ドライバーではいわゆるギア効果が強く作用するためである。なお、よりトウ側で打球されると、アイアンではスライスボールとなりやすく、上記［サイドスピン］が増加しやすい。これは、アイアンでは、ギア効果よりも、打球の衝撃力に起因したヘッド回転によりフェースが開いた効果のほうが優先しやすいからである。
【００８９】
上記表の結果からわかるように、実施例２では、ターゲットマークｔを見ながら打たれた球に比べて、併設マークｈａを見ながら打たれた球は、［打出角］が小さくなる傾向である。これは、よりダウンブローに近い軌道となったためである。上記表の結果からわかるように、実施例２では、ターゲットマークｔを見ながら打たれた球に比べて、併設マークｈｂを見ながら打たれた球は、［打出角］が大きくなる傾向である。これは、よりアッパーブローに近い軌道となったためである。
【００９０】
表１及び表２に示された評価結果から、本発明の優位性は明らかである。
【産業上の利用可能性】
【００９１】
本発明は、あらゆるゴルフボールに適用されうる。
【図面の簡単な説明】
【００９２】
【図１】図１（ａ）は、本発明の一実施形態に係るゴルフボールを示す図である。図１（ｂ）は、図１（ａ）のゴルフボールにおけるマーク部分の拡大図である。
【図２】図２は、本発明の他の実施形態に係るゴルフボールを示す図である。
【図３】図３は、本発明の他の実施形態に係るゴルフボールを示す図である。
【図４】図４（ａ）は、本発明の他の実施形態に係るゴルフボールを示す図である。図４（ｂ）は、図４（ａ）のゴルフボールにおけるマーク部分の拡大図である。
【図５】図５は、本発明の他の実施形態に係るゴルフボールを示す図である。
【図６】図６（ａ）は、本発明の他の実施形態に係るゴルフボールを示す図である。図６（ｂ）は、図６（ａ）のゴルフボールにおけるマーク部分の拡大図である。
【図７】図７は、本発明の他の実施形態に係るゴルフボールを示す図である。
【図８】図８は、本発明の他の実施形態に係るゴルフボールを示す図である。
【図９】図９（ａ）は、本発明の他の実施形態に係るゴルフボールを示す図である。図９（ｂ）は、図９（ａ）のゴルフボールにおけるマーク部分の拡大図である。図９（ｃ）は、図９（ａ）に示すゴルフボールの変形例を示す図である。
【図１０】図１０（ａ）は、本発明の他の実施形態に係るゴルフボールを示す図である。図１０（ｂ）は、図１０（ａ）のゴルフボールにおけるマーク部分の拡大図である。
【図１１】図１１は、本発明に係るマークの定義について説明するための図である。
【図１２】図１２は、本発明に係るマークの定義について説明するための図である。
【図１３】図１３は、本発明の他の実施形態に係るゴルフボールを示す図である。
【符号の説明】
【００９３】
２、６、１０、１４、１７、１８、３０・・・ゴルフボール
４、８、１２、１６、１９、２０、２２、２４、３１・・・マーク群
ｔ・・・ターゲットマーク
ｄ・・・大円
ｄ１・・・第一の大円
ｄ２・・・第二の大円
ｋ・・・傾斜マーク
ｓ・・・側方マーク
ｈ・・・併設マーク
ｍ１〜ｍ２２・・・個別マーク  
【図１】
2008022940.tif 000005
【図２】
2008022940.tif 000006
【図３】
2008022940.tif 000007
【図４】
2008022940.tif 000008
【図５】
2008022940.tif 000009
【図６】
2008022940.tif 000010
【図７】
2008022940.tif 000011
【図８】
2008022940.tif 000012
【図９】
2008022940.tif 000013
【図１０】
2008022940.tif 000014
【図１１】
2008022940.tif 000015
【図１２】
2008022940.tif 000016
【図１３】
2008022940.tif 000017